(57)【要約】【課題】  患者に適した病床を容易に探し出すことができ、かつ病院の評価を向上させることのできる病床割当て装置を提供することを目的とする。【解決手段】  入院患者の中から、その入院患者が入院している病棟への入棟日から所定日数以上経過した移動推奨患者を抽出する抽出部１０１と、抽出部１０１で抽出された移動推奨患者に、上記所定日数以上の経過日数に応じた重みを付する重み付け部１０２と、抽出部１０１で抽出された移動推奨患者を、重み付け部１０２で付された重みの情報とともに表示する表示部１０３と、表示部１０３に表示された患者の中から病床を移動させる患者をオペレータ操作により選択させる操作部１０４と、操作部１０４で選択された患者に病床を割り当てる病床割当て部１０５とを備えた。【選択図】        図１
2006048573.tif 000002
【特許請求の範囲】
【請求項１】
オペレータによって指定された患者を病床に割り当てる病床割当て装置において、
入院患者の中から、該入院患者が入院している病棟への入棟日から所定日数以上経過した移動推奨患者を抽出する抽出部と、
前記抽出部で抽出された移動推奨患者に、前記所定日数以上の経過日数に応じた重みを付する重み付け部と、
前記抽出部で抽出された移動推奨患者を、前記重み付け部で付された重みの情報とともに表示する表示部と、
前記表示部に表示された患者の中から病床を移動させる患者をオペレータ操作により選択させる操作部と、
前記操作部で選択された患者に病床を割り当てる病床割当て部とを備えたことを特徴とする病床割当て装置。
【請求項２】
患者の状況に応じた重みを定義した重み付けマスタを有し、
前記重み付け部は、前記抽出部で抽出された移動推奨患者に重みを付するとともに、さらに入院依頼患者および転棟申込患者について前記重み付けマスタに従った重みを付するものであり、
前記表示部は、前記移動推奨患者に加え、さらに入院依頼患者および転棟申込患者についても前記重み付け部で付された重みの情報とともに表示するものであることを特徴とする請求項１記載の病床割当て装置。
【請求項３】
コンピュータを、
入院患者の中から、該入院患者が入院している病棟への入棟日から所定日数以上経過した移動推奨患者を抽出する抽出部と、
前記抽出部で抽出された移動推奨患者に、前記所定日数以上の経過日数に応じた重みを付する重み付け部と、
前記抽出部で抽出された移動推奨患者を、前記重み付け部で付された重みの情報とともに表示する表示部と、
前記表示部に表示された患者の中から病床を移動させる患者をオペレータ操作により選択させる操作部と、
前記操作部で選択された患者に病床を割り当てる病床割当て部とを備えた、オペレータによって指定された患者を病床に割り当てる病床割当て装置として動作させることを特徴とする病床割当てプログラム。
【発明の詳細な説明】
【技術分野】
【０００１】
本発明は、患者を病床に割り当てる病床割当て装置および病床割当てプログラムに関する。
【背景技術】
【０００２】
従来、病院では、病床管理者が、病院に備えられたデータベースから病床管理の判断材料となるデータを収集して空床を探し、病床を移動させる必要のある患者をその患者に適した空床に割り当てる割当て計画を作成し、その割当て計画を元に病床管理を行っている所が多い。
【０００３】
例えば、入院患者を種々の理由から他の病床へ転床させる場合や新たに入院を申し込んできた患者に病床を割り当てる場合などには、病床管理者がその病院の患者一覧や病床一覧病床一覧を参照して、その中から空床を探し出し、その空床の中から適当な病床を選び病床割当て計画を作成している。これらのデータの収集や病床割当て計画の作成などの仕事は病床管理者の手作業によって行われているのが普通である。
【０００４】
しかし、患者ごとに病名、病状、看護度合い、病棟や病床に対する希望条件などが相違しているため、上記のような手作業による管理では、病床管理者が参照することのできるデータ量には限界があり、加えてそれらのデータによる判断基準も曖昧になりがちである。
【０００５】
また、病院は、病床稼働率や病棟（診療科）単位での平均在院日数などの指標により評価されるという事情があるので、病床管理者はかなりの時間をかけてこれらの指標を作成しそれらの指標を念頭に入れながら病床割当ての判断を行わなければならず、規模の大きい病院の場合には膨大な作業負担となる。
【０００６】
図１７は、病床管理業務で参照されるデータおよびそれに基づいて行われる処理の概要図である。
【０００７】
図１７に示すように、病床管理業務において病床管理者が参照するデータには、患者の診療科、入院目的、入院種別、推定入院期間又は在院日数、家族構成、感染症等々の患者に関するデータおよび平均在院日数、ベッドスケジュール、患者数、稼働率等々の病棟・病床に関するデータがある。
【０００８】
病床管理者は、これらのデータを参照しながら移動予定患者の受理確認、データの参照・判断、割当て病床の決定、および各部門への通達、さらには、移動予定患者による割当て病床の確認、およびその確認結果の各部門への通達等の処理を行う必要がある。
【０００９】
このように、参照し判断すべきデータの種類および量は膨大であり、しかも病床管理者によって判断の基準が異なるので合理的な病床割当てを行うのは難しく、必ずしも患者に適した病床が割り当てられるとは限らない。
【００１０】
そこで、単に空床を検索するのみでなく、患者に必要な看護度合いに適した病床や、患者が希望する付帯設備を備えた病床を検索できるように工夫した診療支援システムが開示されている（例えば、特許文献１参照）。この診療支援システムでは、所定の転床条件であって、各患者が優先度を持つ転床条件を満たした患者を要転床患者として設定し、ある患者が要転床患者に設定されているか否かを各患者ごとにその優先度とともに表示するようになっている。
【特許文献１】特開２００３−３０３２０号公報（第１−２頁、図１）
【発明の開示】
【発明が解決しようとする課題】
【００１１】
上記の診療支援システムは、患者の希望条件を満たす病床に割当てられるように工夫されているため、患者にとっては有益なシステムであるといえる。
【００１２】
しかし、上記のシステムでは、前述の病床稼働率や病棟（診療科）単位での平均在院日数など病院評価の指標を管理することはできないという問題がある。そこで、単に患者の希望条件を満たすだけの病床管理にとどまらず、病院の評価を向上させることができ、かつ病床管理者の作業負担を軽減することのできる病床割当て装置の出現が要望されている。
【００１３】
本発明は、上記事情に鑑み、患者に適した病床を容易に探し出すことができ、かつ病院の評価を向上させることのできる病床割当て装置および病床割当てプログラムを提供することを目的とする。
【課題を解決するための手段】
【００１４】
上記目的を達成する本発明の病床割当て装置は、
オペレータによって指定された患者を病床に割り当てる病床割当て装置において、
入院患者の中から、該入院患者が入院している病棟への入棟日から所定日数以上経過した移動推奨患者を抽出する抽出部と、
上記抽出部で抽出された移動推奨患者に、上記所定日数以上の経過日数に応じた重みを付する重み付け部と、
上記抽出部で抽出された移動推奨患者を、上記重み付け部で付された重みの情報とともに表示する表示部と、
上記表示部に表示された患者の中から病床を移動させる患者をオペレータ操作により選択させる操作部と、
上記操作部で選択された患者に病床を割り当てる病床割当て部とを備えたことを特徴とする。
【００１５】
本発明の病床割当て装置によれば、同一病棟に長期間入院している移動推奨患者を、入院日数に応じた重みを付して画面上に表示することができるので、患者に適した病床を容易に探し出すことができ、かつ病院の評価を向上させることのできる病床割当て装置を実現することができる。
【００１６】
ここで、この病床割当て装置が患者の状況に応じた重みを定義した重み付けマスタを有し、上記重み付け部は、上記抽出部で抽出された移動推奨患者に重みを付するとともに、さらに入院依頼患者および転棟申込患者について上記重み付けマスタに従った重みを付するものであり、上記表示部は、上記移動推奨患者に加え、さらに入院依頼患者および転棟申込患者についても上記重み付け部で付された重みの情報とともに表示するものであることが好ましい。
【００１７】
本発明の病床割当て装置をこのように構成した場合は、入院依頼患者および転棟申込患者についても重みを付して画面上に表示することができるので、患者に適した病床をさらに容易に探し出すことができる。
【００１８】
また、上記表示部は、重み付けが付された患者を重みの順に表示するものであることが好ましい。
【００１９】
本発明の病床割当て装置をこのように構成した場合は、患者を重みの順に画面上に表示することができるので、患者に適した病床をさらに容易に探し出すことができる。
【００２０】
また、上記目的を達成する本発明の病床割当てプログラムは、
コンピュータを、
入院患者の中から、該入院患者が入院している病棟への入棟日から所定日数以上経過した移動推奨患者を抽出する抽出部と、
上記抽出部で抽出された移動推奨患者に、上記所定日数以上の経過日数に応じた重みを付する重み付け部と、
上記抽出部で抽出された移動推奨患者を、上記重み付け部で付された重みの情報とともに表示する表示部と、
上記表示部に表示された患者の中から病床を移動させる患者をオペレータ操作により選択させる操作部と、
上記操作部で選択された患者に病床を割り当てる病床割当て部とを備えた、オペレータによって指定された患者を病床に割り当てる病床割当て装置として動作させることを特徴とする。
【００２１】
本発明の病床割当てプログラムによれば、同一病棟に長期間入院している移動推奨患者を、入院日数に応じた重みを付して画面上に表示することができるので、患者に適した病床を容易に探し出すことができ、かつ病院の評価を向上させることのできる病床割当て装置をコンピュータ上に容易に形成することができる。
【００２２】
ここで、上記重み付け部は、上記抽出部で抽出された移動推奨患者に重みを付するとともに、さらに入院依頼患者および転棟申込患者について、患者の状況に応じた重みを定義した重み付けマスタに従った重みを付するものであり、上記表示部は、上記移動推奨患者に加え、さらに入院依頼患者および転棟申込患者についても上記重み付け部で付された重みの情報とともに表示するものであることが好ましい。
【００２３】
本発明の病床割当てプログラムをこのように構成した場合は、入院依頼患者および転棟申込患者についても重みを付して画面上に表示することができるので、患者に適した病床をさらに容易に探し出すことができる。
【００２４】
また、上記表示部は、重み付けが付された患者を重みの順に表示するものであることが好ましい。
【００２５】
本発明の病床割当てプログラムをこのように構成した場合は、患者を重みの順に画面上に表示することができるので、患者に適した病床をさらに容易に探し出すことができる。
【発明の効果】
【００２６】
本発明によれば、上記のような構成の病床割当て装置および病床割当てプログラムとしたことにより、患者に適した病床を容易に探し出すことができ、かつ病院の評価を向上させることのできる病床割当て装置を容易に実現することができる。
【発明を実施するための最良の形態】
【００２７】
以下図面を参照して本発明の実施の形態を説明する。
【００２８】
図１は、本発明の病床割当て装置および病床割当てプログラムの一実施形態を示す概略構成図である。
【００２９】
本実施形態の病床割当て装置１００は、オペレータによって指定された患者を病床に割り当てる装置であって、図１に示すように、抽出部１０１、重み付け部１０２、表示部１０３、操作部１０４、および病床割当て部１０５を備えている。
【００３０】
本実施形態の病床割当てプログラム１０６は、コンピュータを、上記の病床割当て装置１００として動作させるものであって、病床割当て装置１００と同様、抽出部１０１、重み付け部１０２、表示部１０３、操作部１０４、および病床割当て部１０５を備えている。
【００３１】
抽出部１０１は、入院患者の中から、その入院患者が入院している病棟への入棟日から所定日数以上経過した移動推奨患者を抽出するものである。
【００３２】
重み付け部１０２は、抽出部１０１で抽出された移動推奨患者に、上記所定日数以上の経過日数に応じた重みを付するものである。
【００３３】
表示部１０３は、抽出部１０１で抽出された移動推奨患者を、重み付け部１０２で付された重みの情報とともにコンピュータの画面上に表示するものである。
【００３４】
操作部１０４は、表示部１０３に表示された患者の中から病床を移動させる患者をオペレータ操作により選択させるものである。
【００３５】
病床割当て部１０５は、操作部１０４で選択された患者に病床を割り当てるものである。
【００３６】
さらに、本実施形態では、患者の状況に応じた重みを定義した重み付けマスタ２０７を有し、上記重み付け部１０２が、抽出部１０１で抽出された移動推奨患者に重みを付するとともに、さらに入院依頼患者および転棟申込患者について重み付けマスタ２０７に従った重みを付するものであり、表示部１０３は、上記移動推奨患者に加え、さらに入院依頼患者および転棟申込患者についても重み付け部１０２で付された重みの情報とともに表示するものとして構成されている。また、本実施形態では、上記表示部１０３は、重み付けが付された患者を重みの順に表示するものとして構成されている。
【００３７】
さらに、本実施形態の病床割当て装置１００は、依頼情報テーブル２０２、患者情報テーブル２０３、病床情報テーブル２０４、病棟マスタ２０５、在院日数定義マスタ２０６、および重み付けマスタ２０７などからなるデータベース２０１を有している。これら各テーブルおよびマスタの詳細については後述する。
【００３８】
次に、本実施形態の病床割当て装置のハードウエアについて説明する。
【００３９】
図２は、本実施形態の病床割当て装置が形成されるコンピュータシステムの概要図である。
【００４０】
図２には、図１に示した依頼情報テーブル２０２、患者情報テーブル２０３、病床情報テーブル２０４、病棟マスタ２０５、在院日数定義マスタ２０６、および重み付けマスタ２０７などからなるデータベース２０１が内部に構築されるサーバ８０＿１、およびネットワーク８６を介してサーバ８０＿１に接続された複数の端末装置８０＿２，８０＿３，８０＿４が例示的に示されている。
【００４１】
サーバ８０＿１および端末装置８０＿２，８０＿３，８０＿４を構成するコンピュータシステムには、一般にワークステーションと呼ばれる高速かつ大容量のコンピュータシステム、またはパーソナルコンピュータシステムなどが用いられる。
【００４２】
サーバ８０＿１および各端末装置８０＿２，８０＿３，８０＿４は、ＣＰＵ、主記憶装置、ハードディスク、通信用ボード等が内蔵された本体部８０ａ，８０ｂ，８０ｃ，８０ｄ、本体部８０ａ，８０ｂ，８０ｃ，８０ｄからの指示により画面上に画像や文字列を表示する表示装置８１ａ，８１ｂ，８１ｃ，８１ｄ、サーバ８０＿１および各端末装置８０＿２，８０＿３，８０＿４にオペレータからの指示を入力するためのキーボード８２ａ，８２ｂ，８２ｃ，８２ｄ、および表示画面上の任意の位置を指定することにより、その指定された位置に表示されていたアイコン等に応じた指示を入力するマウス８３ａ，８３ｂ，８３ｃ，８３ｄを備えている。
【００４３】
サーバ８０＿１、各端末装置８０＿２，８０＿３，８０＿４、およびネットワーク８６は、全体として本実施形態の病床割当て装置１００（図１参照）を形成している。
【００４４】
本体部８０ａ，８０ｂ，８０ｃ，８０ｄは、さらに外観上、フレキシブルディスク（図示せず）、ＭＯ（光磁気ディスク）８５が装填されるＦＤ装填口８４ａ，８４ｂ，８４ｃ，８４ｄ、ＭＯ装填口８５ａ，８５ｂ，８５ｃ，８５ｄを有しており、それらの内部には、それらの装填口から装填されたフレキシブルディスクやＭＯをドライブしてアクセスするフレキシブルディスクドライブユニット、ＭＯドライブユニットが内蔵されている。
【００４５】
本実施形態の病床割当てプログラム１０６（図１参照）は、上記のＭＯ８５に記憶され、サーバ８０＿１および各端末装置８０＿２，８０＿３，８０＿４にインストールされることにより本実施形態の病床割当て装置１００（図１参照）が形成される。
【００４６】
次に、本実施形態における依頼情報テーブル、患者情報テーブル、病床情報テーブル、病棟マスタ、在院日数定義マスタ、および重み付けマスタのファイル構造について説明する。
【００４７】
図３は、本実施形態における依頼情報テーブルのファイル構造を示す図である。
【００４８】
図３に示すように、この依頼情報テーブル２０２は、患者氏名２０２ａ、依頼日２０２ｂ、移動種別２０２ｃ、実施予定日２０２ｄ、現在位置２０２ｅ、実施状態２０２ｆ、および理由２０２ｇの７項目からなり、患者ごとの病床移動依頼に関する情報が記憶されている。
【００４９】
ここで、依頼日２０２ｂとはその患者の病床の移動が依頼された日付を表すものであり、移動種別２０２ｃとは病床移動の種別を表すものであり、実施予定日２０２ｄとは病床移動の実施予定日を表すものであり、現在位置２０２ｅとはその患者の現在の病床を表すものであり、実施状態２０２ｆとは病床移動の実施状態を表すものであり、理由２０２ｇとは病床移動の理由を表すものである。
【００５０】
図４は、本実施形態における患者情報テーブルのファイル構造を示す図である。
【００５１】
図４に示すように、この患者情報テーブル２０３は、患者氏名２０３ａ、性別２０３ｂ、診療科２０３ｃ、入院日２０３ｄ、面会区分２０３ｅ、安静度２０３ｆ、および感染症２０３ｇの７項目からなり、各患者に関する情報が記憶されている。
【００５２】
ここで、面会区分２０３ｅとは患者に面会することのできる人についての制限事項を表すものであり、感染症２０３ｇとはその患者の感染症に関する情報を表すものである。
【００５３】
図５は、本実施形態における病床情報テーブルのファイル構造を示す図である。
【００５４】
図５に示すように、この病床情報テーブル２０４は、病床２０４ａ、患者氏名２０４ｂ、および現在病床使用開始日２０４ｃの３項目からなり、各病床が、どの患者によっていつから使用開始されたものであるが記憶されている。
【００５５】
図６は、本実施形態における病棟マスタのファイル構造を示す図である。
【００５６】
図６に示すように、この病棟マスタ２０５は、病棟名２０５ａ、病棟区分２０５ｂ、病室名２０５ｃ、病室病床２０５ｄ、病床名２０５ｅ、および病床区分２０５ｆの６項目からなり、各病床がどの病棟のどの病室のどの位置に配備されているかなどの情報が記憶されている。
【００５７】
図７は、本実施形態における在院日数定義マスタのファイル構造を示す図である。
【００５８】
図７に示すように、この在院日数定義マスタ２０６は、タイトル２０６ａおよび値２０６ｂの２項目からなり、目標在院日数として何日が設定されているが記憶されている。
【００５９】
図８は、本実施形態における重み付けマスタのファイル構造を示す図である。
【００６０】
図８に示すように、この重み付けマスタ２０７は、タイトル２０７ａおよび重み２０７ｂの２項目からなり、１２のレコード２０７＿１〜２０７＿１２の各タイトル、すなわち“緊急入院”、“日指定入院”、“日未定入院”、“転床”、“転室”、“転棟申込”、“日指定遅延”、“日未定遅延”、“目標在院日数オーバ”、“移動制限(安静度)”、“排尿可能(安静度)”、“ＩＣＵ(安静度)”について、図示のように“９９”から“−５０”までの重み２０７ｂがそれぞれ記憶されている。
【００６１】
次に、本実施形態の病床割当て装置の動作について説明する。
【００６２】
図９は、本実施形態の病床割当て装置の動作を示すフローチャートである。
【００６３】
図９に示すように、先ず、移動予定患者の抽出が行われる（ステップＳ０１）。
【００６４】
図１０は、図９に示したフローチャートのうちの移動予定患者抽出部分の詳細フロー
である。
【００６５】
この移動予定患者の抽出は、例えば、次のようなコマンドにより実行される。
【００６６】
ＳＥＬＥＣＴ＊ＦＲＯＭ  依頼情報テーブル
ＷＨＥＲＥ
実施状態＝未  実施予定日  ＢＩＴＷＥＥＮ  検索開始日  ＡＮＤ  検索終了日
ここで、検索開始日を“２００４年４月１日”とし、検索終了日を“２００４年４月８日”とすると、図１０に示すように、依頼情報テーブル２０２から２つのレコード２０２＿１，２０２＿２が抽出される（ステップＳ０１１）。
【００６７】
なお、この処理は１レコードごとの処理となるので、１人の患者に対して複数の移動予定が取得される場合もある。
【００６８】
次に、移動推奨患者の抽出が行われる（ステップＳ０１２）。
【００６９】
この移動推奨患者の抽出は、例えば、次のようなコマンドにより実行される。
【００７０】
ＳＥＬＥＣＴ＊ＦＲＯＭ  病床情報テーブル
ＷＨＥＲＥ
現在病床使用開始日＜＝現在日付−目標在院日数
ここで、現在病床使用開始日としては、病床情報テーブル２０４（図５参照）の現在病床使用開始日２０４ｃが参照され、目標在院日数としては、在院日数定義マスタ２０６（図７参照）の値２０６ｂ（“１４日間”）が参照され、その結果、病床情報テーブル２０４の中からレコード２０４＿４が抽出される（ステップＳ０１２）。
【００７１】
次に、図９に示すフローチャートのステップＳ０３において重み付けが行われる。
【００７２】
図１１は、本実施形態における重み付け前のデータ成型処理の説明図である。
【００７３】
上記ステップＳ０１およびステップＳ０２における抽出の結果、図１１に示すように、依頼情報テーブル２０２から抽出されたレコード２０２＿１，２０２＿２、および病床情報テーブル２０４から抽出されたレコード２０４＿４からなる成型データ２０８（図１１中に一点鎖線で囲んで表示）が生成される。この成型データ２０８のうち、病床情報テーブル２０４から抽出されたレコード２０４＿４には移動種別の情報がないので一律に“移動推奨”が書き込まれる。
【００７４】
また、この成型データ２０８には、患者氏名２０８ａ、依頼日２０８ｂ、移動種別２０８ｃ、現在位置２０８ｄ、実施予定日２０８ｅの他に、安静度２０８ｆおよび重み２０８ｇの２項目がある。
【００７５】
安静度２０８ｆには、患者情報テーブル２０３の安静度２０３ｆに記憶されている情報が書き込まれるが、安静度２０３ｆに情報のないレコード２０３＿２については“制限なし”が書き込まれる。
【００７６】
重み２０８ｇには、この段階では初期値“０”が入っており、次に説明する“重み付け処理”により、上記３つのレコードに優先度が付けられ、この重み２０８ｇに処理の優先順序を表す“重み”が記憶される。
【００７７】
図１２は、本実施形態における重み付け処理の説明図である。
【００７８】
上記成型データ２０８の各レコードについて、移動種別による重み付け（ステップＳ０３２）、実施遅延による重み付け（ステップＳ０３３）、重みデータの追加（ステップＳ０３４）が、それぞれ行われる（ステップＳ０３１〜ステップＳ０３５）。
【００７９】
重みは次の演算式（１）により求められる。
【００８０】
（現在日付−実施予定日−目標在院日数）×重み−安静度による修正  …  （１）
なお、移動種別２０８ｃが“移動推奨”であるレコードの場合は、実施予定日２０８ｅに、病床情報テーブル２０４（図５参照）の現在病床使用開始日２０４ｃの値が挿入される。また、移動種別２０８ｃが“移動推奨”以外のレコードの場合は、安静度による修正は行われない。
【００８１】
例えば、成型データ２０８のうちのレコード２０８＿２については、実施予定日２０８ｅに“２００４年３月１日” が挿入される。現在日付を“２００４年４月１日”とすると３１日間在床していることとなり、目標在院日数は１４日に設定されている。
【００８２】
ここで、重み付けマスタ２０７には、目標在院日数オーバ２０７＿９の重み２０７ｂは“５”と定義されているので、
（３１−１４）×５＝８５
となり、重み付け後のデータ２０８’のレコード２０８’＿２の重み２０８＿ｇには“８５”が追加される（ステップＳ０３４）。
【００８３】
次に、実施遅延による重み付け（ステップＳ０３３）が行われ、例えば、レコード２０８＿１については、移動種別２０８ｃが“日未定入院”であるので、重み付けマスタ２０７から重み“６０”が参照され、上記演算式（１）により最終的に重み“９５”が得られ、重み付け後のデータ２０８’のレコード２０８’＿１の重み２０８＿ｇに“９５”が書き込まれる。
【００８４】
レコード２０８＿３については、最終的に重み“５０”が得られ、重み付け後のデータ２０８’のレコード２０８’＿３の重み２０８＿ｇに“５０”が書き込まれる。なお、レコード２０８＿３の場合は、安静度２０８ｆが“移動制限”であるので、重み付けマスタ２０７のレコード２０７＿１０に定義された重み“−１０”が適用される。
【００８５】
次に、図９に示すフローチャートのステップＳ０４において移動患者選択画面が表示され、続いて移動患者選択が行われる。
【００８６】
図１３は、本実施形態における移動患者選択画面である。
【００８７】
ステップＳ０４では、図１３に示す移動患者選択画面３０１に、重み順に移動予定患者および移動推奨患者の最新情報が表示される。
【００８８】
この移動患者選択画面３０１には、チェック欄３０１ａ、重み３０１ｂ、患者氏名３０１ｃ、移動種別３０１ｄ、実施予定日３０１ｅ、現在位置３０１ｆ、理由３０１ｇの各項目が設けられており、さらに、最新情報取得ボタン３０１ｈ、病床割当て開始ボタン３０１ｉ、および閉じるボタン３０１ｊが設けられている。この最新情報取得ボタン３０１ｈを押下するとデータベース２０１から最新の情報が取得される。
【００８９】
この移動患者選択画面３０１のチェック欄３０１ａにチェックを入れることによりその患者が病床割り当ての対象となる。チェックを入れた後、病床割当て開始ボタン３０１ｉを押下すると病床割当てが開始される。病床割当てが開始された後、移動患者選択画面３０１の所望のレコードをクリックすることにより、次に示す重み付け詳細画面３０２が展開表示される。
【００９０】
この重み付け詳細画面３０２には、移動患者選択画面３０１でクリックされたレコードの重みに関する詳細情報、すなわち患者氏名３０２ａ、移動種別３０２ｂ、移動理由３０２ｃ、現在位置３０２ｄ、実施予定日３０２ｅ、および重み詳細データ３０２ｆが表示される。さらにこの重み付け詳細画面３０２には“閉じる”ボタン３０２ｇが設けられている。
【００９１】
病床割当て終了後、重み付け詳細画面３０２（図１３参照）の閉じるボタン３０２ｊを押下すると、移動患者選択（ステップＳ０５）を終了する。
【００９２】
次に、図９に示すフローチャートのステップＳ０６において病棟稼働状況の取得が行われる。
【００９３】
図１４は、本実施形態における病棟詳細情報および病棟稼働情報を示す図である。
【００９４】
図１４に示すように、本実施形態における病棟詳細情報２０９は、病棟名２０９ａ、病棟区分２０９ｂ、病室名２０９ｃ、病室病床２０９ｄ、病床名２０９ｅ、病床区分２０９ｆ、患者氏名２０９ｇ、現在病床使用開始日２０９ｈ、入院日２０９ｉの９項目からなり、そのうち、病棟名２０９ａ、病棟区分２０９ｂ、病室名２０９ｃ、病室病床２０９ｄ、病床名２０９ｅ、および病床区分２０９ｆの６項目は病棟マスタ２０５から参照され、患者氏名２０９ｇおよび現在病床使用開始日２０９ｈの２項目は病床情報テーブル２０４から参照され、入院日２０９ｉの１項目は患者情報テーブル２０３から参照される。
【００９５】
こうして形成された病棟詳細情報２０９に基づき、病棟稼働情報２１０が作成される。
【００９６】
この病棟稼働情報２１０には、病棟名２１０ａ、稼働率２１０ｂ、および平均在院日数２１０ｃの３項目があり、各病棟名ごとの稼働率および平均在院日数が記憶されるようになっている。
【００９７】
ここで、稼働率は、
稼動病床数／全病床数
なる計算式で求められ、
平均在院日数は、
（入院患者毎の入院日数の総和）／入院患者数
なる計算式で求められる。なお、入院日数は、現在日付−入院日付から求められる。
【００９８】
次に、図９に示すフローチャートのステップＳ０７において病床仮配置が行われる。
【００９９】
図１５は、本実施形態における病床仮配置処理の説明図である。
【０１００】
図１５に示すように、本実施形態における病床仮配置処理では、ステップＳ０４１からステップＳ０４５までのループ１において、重み付け後のデータ２０８’の各レコードについての処理が行われる。先ず重み付け後のデータ２０８’のうち、重み２０８＿ｇの高い患者（レコード２０８’＿１）から処理が開始される。このレコードの患者“Ｐ２”について、平均在院日数の少ない病棟から受け入れ病床の抽出が行われる（ステップＳ０４２）。
【０１０１】
ここでは、病棟稼働情報２１０に示すように、“西棟１階”、“西棟２階”、“西棟４階”の平均在院日数のうち、“西棟２階”の平均在院日数が“３日”と最も短いので“西棟２階”の処理が優先される。
【０１０２】
次に、ステップＳ０４３において受け入れ可能病床の有無の判定が行われる。受け入れ可能病床の有無の判定は、患者情報テーブル２０３および病棟詳細情報２０９が用いられる。
【０１０３】
ステップＳ０４３における判定の結果、受け入れ可能病床が無い場合はステップＳ０４２に戻り次に平均在院日数の少ない病棟からの受け入れ病床の抽出が行われる。
【０１０４】
ステップＳ０４３における判定の結果、受け入れ可能病床が有る場合はステップＳ０４４に進み病床の仮配置が行われる。
【０１０５】
ステップＳ０４４では、次のように各患者について病床の仮配置が行われる。
【０１０６】
例えば、データ２０８’のうち、最も重み２０８＿ｇの高い患者“Ｐ２”については、患者情報テーブル２０３により、性別は“男性”で、診療科は“内科”であることが判るが、平均在院日数の最も短い“西棟２階”にはその条件に合う病床が無く、次に平均在院日数の短い“西棟４階”にも上記条件に合う病床が無い。しかし、“西棟１階１号室”には上記条件に合う病床が３つあるので、そのうちの病床名“１”に仮配置される。
【０１０７】
次に重み２０８＿ｇの高い患者Ｐ５（レコード２０８’＿２）の処理が行われるが、この患者の条件に合う病床はどの病棟にも存在しないので、この患者Ｐ５については現状維持とされる。
【０１０８】
最後に、患者Ｐ１（レコード２０８’＿３）の処理が行われ、病棟詳細情報２０９のレコードの中から、この患者の条件に合う病室名“西棟４階ＩＣＵ室”、病床名“１”が選ばれこの病床に仮配置される。
【０１０９】
こうして、移動患者すべての病床仮配置が終了すると、次に、図９に示すフローチャートのステップＳ０８において移動患者選択画面が表示され、この移動患者選択画面を用いてステップＳ０９における移動実施患者選択が行われる。
【０１１０】
図１６は、本実施形態における移動患者選択画面を示す図である。
【０１１１】
図１６に示すように、この移動患者選択画面２１１には、ステップＳ０７で仮配置された移動患者についての情報、すなわち状態２１１ａ、実施状況２１１ｂ、患者氏名２１１ｃ、移動種別２１１ｄ、実施日２１１ｅ、仮配置病床２１１ｆ、理由２１１ｇ、患者選択に戻るボタン２１１ｈ、終了ボタン２１１ｉが表示される。
【０１１２】
この移動患者選択画面２１１に表示されたレコードのうちのいずれか一つのレコードをクリックすると、同一画面上に実施詳細確認画面２１２が展開表示される。なお、実施済みのレコードの背景には着色が施される。
【０１１３】
割り当てられるべき患者に病床が割り当てられなかった場合には、患者選択に戻るボタン２１１ｈを押下して移動患者選択画面２１１に戻り、確実に移動させたい未決定の患者のみを選択し、再配置を行う。
【０１１４】
全ての処理を終了し終了ボタン２１１ｉがクリックされた段階で、状態２１１ａが“未実施”であるレコードに関しては“保留”と判断される。
【０１１５】
実施詳細確認画面２１２には、移動患者選択画面２１１上で選択されたレコードの詳細情報、すなわち、患者氏名２１２ａ、移動種別２１２ｂ、移動の理由２１２ｃ、承認者２１２ｄ、連絡先２１２ｅ、承認者への連絡済みボタン２１２ｆ、移動前の病床２１２ｇ、実施予定日２１２ｈ、移動後の病床２１２ｉ、実施日２１２ｊ、連絡事項２１２ｋ、実施決定ボタン２１２ｌ、保留確定ボタン２１２ｍ、キャンセルボタン２１２ｎが表示される。
【０１１６】
ここで、承認者２１２ｄおよび連絡先２１２ｅには、病床移動について承認を取り付けるべき人とその連絡先が表示される。
【０１１７】
病院から承認者に連絡した時に何か問題が発生した場合は連絡事項２１２ｋにその旨が記入される。
【０１１８】
承認者への連絡後、何も問題がない場合は承認者への連絡済みボタン２１２ｆをチェックすることにより実施決定ボタン２１２ｌの押下が可能となる。
【０１１９】
実施決定ボタン２１２ｌが押下されると、ステップＳ１０において実施入力処理が行われ、移動患者選択画面２１１の状態２１１ａに“実施”が表示される。
【０１２０】
病床管理者等の判断により、当該患者の病床移動を保留とする場合には、保留確定ボタン２１２ｍを押下することにより保留が確定する。
【０１２１】
また、当該患者の病床移動をキャンセルする場合には、キャンセルボタン２１２ｎを押下を押下することによりその患者の病床移動はキャンセルされる。
【０１２２】
こうして移動実施患者の選択がすべて終了した段階で終了ボタン２１１ｉが押下されると、図９に示す病棟管理業務は全て終了し、あとは病棟管理者による実際の病床移動が実施されることとなる。
【０１２３】
以下に本発明の各種態様について付記する。
【０１２４】
（付記１）
オペレータによって指定された患者を病床に割り当てる病床割当て装置において、
入院患者の中から、該入院患者が入院している病棟への入棟日から所定日数以上経過した移動推奨患者を抽出する抽出部と、
前記抽出部で抽出された移動推奨患者に、前記所定日数以上の経過日数に応じた重みを付する重み付け部と、
前記抽出部で抽出された移動推奨患者を、前記重み付け部で付された重みの情報とともに表示する表示部と、
前記表示部に表示された患者の中から病床を移動させる患者をオペレータ操作により選択させる操作部と、
前記操作部で選択された患者に病床を割り当てる病床割当て部とを備えたことを特徴とする病床割当て装置。
【０１２５】
（付記２）
患者の状況に応じた重みを定義した重み付けマスタを有し、
前記重み付け部は、前記抽出部で抽出された移動推奨患者に重みを付するとともに、さらに入院依頼患者および転棟申込患者について前記重み付けマスタに従った重みを付するものであり、
前記表示部は、前記移動推奨患者に加え、さらに入院依頼患者および転棟申込患者についても前記重み付け部で付された重みの情報とともに表示するものであることを特徴とする付記１記載の病床割当て装置。
【０１２６】
（付記３）
前記表示部は、重み付けが付された患者を重みの順に表示するものであることを特徴とする付記１又は２記載の病床割当て装置。
【０１２７】
（付記４）
コンピュータを、
入院患者の中から、該入院患者が入院している病棟への入棟日から所定日数以上経過した移動推奨患者を抽出する抽出部と、
前記抽出部で抽出された移動推奨患者に、前記所定日数以上の経過日数に応じた重みを付する重み付け部と、
前記抽出部で抽出された移動推奨患者を、前記重み付け部で付された重みの情報とともに表示する表示部と、
前記表示部に表示された患者の中から病床を移動させる患者をオペレータ操作により選択させる操作部と、
前記操作部で選択された患者に病床を割り当てる病床割当て部とを備えた、オペレータによって指定された患者を病床に割り当てる病床割当て装置として動作させることを特徴とする病床割当てプログラム。
【０１２８】
（付記５）
前記重み付け部は、前記抽出部で抽出された移動推奨患者に重みを付するとともに、さらに入院依頼患者および転棟申込患者について、患者の状況に応じた重みを定義した重み付けマスタに従った重みを付するものであり、
前記表示部は、前記移動推奨患者に加え、さらに入院依頼患者および転棟申込患者についても前記重み付け部で付された重みの情報とともに表示するものであることを特徴とする付記４記載の病床割当てプログラム。
【０１２９】
（付記６）
前記表示部は、重み付けが付された患者を重みの順に表示するものであることを特徴とする付記４又は５記載の病床割当てプログラム。
【図面の簡単な説明】
【０１３０】
【図１】本発明の病床割当て装置および病床割当てプログラムの一実施形態を示す概略構成図である。
【図２】本実施形態の病床割当て装置が形成されるコンピュータシステムの概要図である。
【図３】本実施形態における依頼情報テーブルのファイル構造を示す図である。
【図４】本実施形態における患者情報テーブルのファイル構造を示す図である。
【図５】本実施形態における病床情報テーブルのファイル構造を示す図である。
【図６】本実施形態における病棟マスタのファイル構造を示す図である。
【図７】本実施形態における在院日数定義マスタのファイル構造を示す図である。
【図８】本実施形態における重み付けマスタのファイル構造を示す図である。
【図９】本実施形態の病床割当て装置の動作を示すフローチャートである。
【図１０】図９に示したフローチャートのうちの移動予定患者抽出部分の詳細フローである。
【図１１】本実施形態における重み付け前のデータ成型処理の説明図である。
【図１２】本実施形態における重み付け処理の説明図である。
【図１３】本実施形態における移動患者選択画面である。
【図１４】本実施形態における病棟詳細情報および病棟稼働情報を示す図である。
【図１５】本実施形態における病床仮配置処理の説明図である。
【図１６】本実施形態における移動患者選択画面を示す図である。
【図１７】病床管理業務で参照されるデータおよびそれに基づいて行われる処理の概要図である。
【符号の説明】
【０１３１】
８０＿１    サーバ８０＿１
８０＿２，８０＿３，８０＿４    端末装置
８０ａ，８０ｂ，８０ｃ，８０ｄ    本体部
８１ａ，８１ｂ，８１ｃ，８１ｄ    表示装置
８２ａ，８２ｂ，８２ｃ，８２ｄ    キーボード
８３ａ，８３ｂ，８３ｃ，８３ｄ    マウス
８４ａ，８４ｂ，８４ｃ，８４ｄ    ＦＤ装填口
８５    ＭＯ
８５ａ，８５ｂ，８５ｃ，８５ｄ    ＭＯ装填口
８６    ネットワーク
１００    病床割当て装置
１０１    抽出部
１０２    重み付け部
１０３    表示部
１０４    操作部
１０５    病床割当て部
１０６    病床割当てプログラム
２０１    データベース
２０２    依頼情報テーブル
２０２ａ    患者氏名
２０２ｂ    依頼日
２０２ｃ    移動種別
２０２ｄ    実施予定日
２０２ｅ    現在位置
２０２ｆ    実施状態
２０２ｇ    理由
２０３    患者情報テーブル
２０３ａ    患者氏名
２０３ｂ    性別
２０３ｃ    診療科
２０３ｄ    入院日
２０３ｅ    面会区分
２０３ｆ    安静度
２０３ｇ    感染症
２０４    病床情報テーブル
２０４ａ    病床
２０４ｂ    患者氏名
２０４ｃ    現在病床使用開始日
２０５    病棟マスタ
２０５ａ    病棟名
２０５ｂ    病棟区分
２０５ｃ    病室名
２０５ｄ    病室病床
２０５ｅ    病床名
２０５ｆ    病床区分
２０６    在院日数定義マスタ
２０７    重み付けマスタ
２０７ａ    タイトル
２０７ｂ    重み
２０８    成型データ
２０８ａ    患者氏名
２０８ｂ    依頼日
２０８ｃ    移動種別
２０８ｄ    現在位置
２０８ｅ    実施予定日
２０８ｆ    安静度
２０８ｇ    重み
２０８’    重み付け後のデータ
２０９    病棟詳細情報
２０９ａ    病棟名
２０９ｂ    病棟区分
２０９ｃ    病室名
２０９ｄ    病室病床
２０９ｅ    病床名
２０９ｆ    病床区分
２０９ｇ    患者氏名
２０９ｈ    現在病床使用開始日
２０９ｉ    入院日
２１０    病棟稼働情報
２１０ａ    病棟名
２１０ｂ    稼働率
２１０ｃ    平均在院日数
２１１    移動患者選択画面
２１１ａ    状態
２１１ｂ    実施状況
２１１ｃ    患者氏名
２１１ｄ    移動種別
２１１ｅ    実施日
２１１ｆ    仮配置病床
２１１ｇ    理由
２１１ｈ    患者選択に戻るボタン
２１１ｉ    終了ボタン
２１２    実施詳細確認画面
２１２ａ    患者氏名
２１２ｂ    移動種別
２１２ｃ    移動の理由
２１２ｄ    承認者
２１２ｅ    連絡先
２１２ｆ    承認者への連絡済みボタン
２１２ｇ    移動前の病床
２１２ｈ    実施予定日
２１２ｉ    移動後の病床
２１２ｊ    実施日
２１２ｋ    連絡事項
２１２ｌ    実施決定ボタン
２１２ｍ    保留確定ボタン
２１２ｎ    キャンセルボタン
３０１    移動患者選択画面
３０１ａ    チェック欄
３０１ｂ    重み
３０１ｃ    患者氏名
３０１ｄ    移動種別
３０１ｅ    実施予定日
３０１ｆ    現在位置
３０１ｇ    理由
３０１ｈ    最新情報取得ボタン
３０１ｉ    病床割当て開始ボタン
３０１ｊ    閉じるボタン
３０２    重み付け詳細画面
３０２ａ    患者氏名
３０２ｂ    移動種別
３０２ｃ    移動理由
３０２ｄ    現在位置
３０２ｅ    実施予定日
３０２ｆ    重み詳細データ
３０２ｇ    “閉じる”ボタン
【図１】
2006048573.tif 000003
【図２】
2006048573.tif 000004
【図３】
2006048573.tif 000005
【図４】
2006048573.tif 000006
【図５】
2006048573.tif 000007
【図６】
2006048573.tif 000008
【図７】
2006048573.tif 000009
【図８】
2006048573.tif 000010
【図９】
2006048573.tif 000011
【図１０】
2006048573.tif 000012
【図１１】
2006048573.tif 000013
【図１２】
2006048573.tif 000014
【図１３】
2006048573.tif 000015
【図１４】
2006048573.tif 000016
【図１５】
2006048573.tif 000017
【図１６】
2006048573.tif 000018
【図１７】
2006048573.tif 000019